(57)【要約】      （修正有）【課題】足指の周面及びつけ根部分からの発汗、湿気等を吸収し、靴着用時等においても違和感なく装着して外出が可能で、もって足指周面及び指のつけ根部分を乾燥状態に保持できる、足指の間隔保持具を提供する。【解決手段】保持具Ｓは、足指の第２指５ｂ、第３指５ｃ又は第４指５ｄに挿入かつ抜き出し可能な内径ｄとした内筒体１と、内筒体１と相似形にすると共に、該内筒体１の外周面１ａ間とに空間部４を形成し、第２指５ｂ、第３指５ｃ又は第４指５ｄの両側間を挿入かつ抜き出し可能な外径Ｄとした外筒体２と、内筒体１及び外筒体２との空間部４に充填される、柔軟性又は弾力性を有する吸収材３とからなる。【選択図】図２
0003122245.tif 000002
【実用新案登録請求の範囲】
【請求項１】
足指の第２指、第３指又は第４指に挿入かつ抜き出し可能な内径とした内筒体と、
前記内筒体と相似形にすると共に、該内筒体の外周面間とに空間部を形成し、前記第２指、第３指又は第４指の両側間を挿入かつ抜き出し可能な外径とした外筒体と、
前記内筒体及び外筒体との空間部に充填される、柔軟性又は弾力性を有する吸収材と、
からなることを特徴とする、足指の間隔保持具。
【請求項２】
前記内筒体及び外筒体が、弾性を有する硬質で薄手の紙材又は熱可塑性合成樹脂材からなることを特徴とする、請求項１記載の足指の間隔保持具。
【請求項３】
前記熱可塑性合成樹脂材が、塩化ビニール、ポリエチレン、アクリル樹脂又はスチロール樹脂であることを特徴とする、請求項１〜請求項２の何れかに記載の足指の間隔保持具。
【請求項４】
前記内筒体及び外筒体の縦断面形状が、円形、楕円形又は長方形であることを特徴とする、請求項１〜請求項３の何れかに記載の足指の間隔保持具。
【請求項５】
前記内筒体、外筒体及び吸収材の長手寸法が、約３０ｍｍ〜約４５ｍｍであることを特徴とする、請求項１〜請求項４の何れかに記載の足指の間隔保持具。
【請求項６】
前記内筒体の内径が約１８ｍｍ〜約２５ｍｍで、外筒体の外径が約２８ｍｍ〜約４０ｍｍであることを特徴とする、請求項１〜請求項５の何れかに記載の足指の間隔保持具。
【請求項７】
前記内筒体及び外筒体の両端周縁部は、アール加工されていることを特徴とする、請求項１〜請求項６の何れかに記載の足指の間隔保持具。
【請求項８】
前記吸収材の主材が、パルプ繊維又は再生紙からなるティッシュペーパーと同一素材であることを特徴とする、請求項１〜請求項７の何れかに記載の足指の間隔保持具。
【請求項９】
前記吸収材の先端周面部は、ほぐし加工されて羽毛状とされていることを特徴とする、請求項１〜請求項８の何れかに記載の足指の間隔保持具。
【請求項１０】
前記吸収材内に、乾燥剤又は防臭剤の粉末を添加したことを特徴とする、請求項１〜請求項９の何れかに記載の足指の間隔保持具。
【考案の詳細な説明】
【技術分野】
【０００１】
本考案は、足指の間隔保持具に関し、より詳しくは、縦断面形状を相似形とした内筒体と外筒体の空間部に吸収材を充填してなり、該間隔保持具を足指の第２指、第３指又は第４指の先端からつけ根まで挿入した後、外筒体を足指外に抜き出し、つぎに内筒体を抜き出して吸収材を足指間で保持させ、足指の表皮周面及びつけ根部分等から滲み出る汗、湿気等を吸収する、足指の間隔保持具に関する。
【背景技術】
【０００２】
発展途上国は例外として、現代人の多くは靴を履いて生活している。一般的には屋内を除き、外出時例えば勤務、スポーツ等を含む社会生活の営みにあって、長時間靴を着用する生活となっている。この靴着用は、靴下の着用と共に必然的に足指間を狭小とし、隣接する指どうしが常時密着状態となり、そのために足指間の通気性は悪くなる。男性用革靴はもちろん女性のハイヒールやパンプス等は、素材の属性で特に通気性が悪いので、体温や外気温、湿度等により足指は靴の内部で蒸れた状態となり、長時間の靴着用は発汗等による湿気で細菌が繁殖し、靴又は靴下を脱いだとき、周囲に悪臭、異臭を発する原因となるばかりか、雑菌やとりわけ完治することが困難な皮膚病である水虫（白癬症）発症の大きな要因ともなっている。  
【０００３】
高温多湿の我国にあっては、成人男子の殆どが水虫に罹患した経験があることに加えて、近年の統計では、約４９％の成人女子が水虫に罹っているとされ、３０歳以上の女性では５３％が罹患しているとの結果も発表されている。水虫（白癬症）の主な症状としては、
趾間型：主に足の指の間に発症し、皮膚が湿ってふやけた状態となり、じゅくじゅくする湿潤型と、皮が薄くむけ、赤くなる乾燥型に分けられる。痒みと共に痛みを伴うことがある。
小水泡型：主に足の裏やふち、指の付け根に発症し、透明でやや粘り気のある液体を含む小さな水ぶくれができ、破れると液が出てきて次第にかさかさに乾き皮がむける。趾間型と同じく痛痒を伴うことがある。
角化型：足の裏全体、特に踵に発症し、足裏全体の角質層が厚くなり皮膚が堅くなる。痒みは軽く、あかぎれと区別しにくい。
【０００４】
世界中の多くの薬品メーカにより、水虫（白癬症）の治療薬が研究、開発され市販されてはいるが、決定的な治療薬は発売されていないのが現状で、巷間話題になっているのは、水虫（白癬症）を完治する治療薬が開発されたら、その発明者ないしメーカーはノーベル賞の受賞間違いなしと言われている。
【０００５】
白癬症の発症予防法としては、毎日の入浴又はシャワーを浴びるとき、足特に足指と隣接する指間、つけ根部分を浴用石けん等で常によく洗って清潔にすることと、指間、つけ根部分等の水分を拭き取って乾燥させておくことが肝要とされている。また靴は蒸れにくくかつ、足指間を締め付けないゆとりある靴幅の靴を履くことも奨励されており、さらにできるだけ、足指と隣接する指間、つけ根部分等は乾燥状態としていることが、患部を悪化させず、また発症を予防する簡便な方法とされている。
【０００６】
上述した水虫（白癬症）の主な症状のうち、特に（１）趾間型、（２）小水泡型の改善又は発症の予防手段として、足指間を乾燥状態にするために多数の提案がなされている。その一例である、特開２００５−３４４８８の「足指間の間隔保持具」は、円筒形もしくは楕円筒形をした外観形状をした足指間の間隔保持具本体を有し、その上下貫通孔を裁頭逆錐状として前記間隔保持具本体の下部の肉厚を厚く形成してあることとし、前記した足指間の間隔保持具本体の壁面の略中央に、前記した上下貫通孔と連通する透孔を略１８０度ピッチで相対向する位置に穿設してあることとしている。また特開平１０−１４６３５７の「指間乾燥器具」は、足指間に挿入可能な隔壁を備えるとともに所望の長さで切断可能な連続体で形成されて同隔壁が通気機能を有することを特徴とし、また上記隔壁は足指の並び幅よりも僅かに広めの所定間隔とした隔壁を備えるとともに所望の長さで切断可能な連続体で構成したことを特徴としている。また特開２００４−３０５３０６の「足指間の間隔保持具」は、足指に嵌装されるループ部材を有し、そのループ部材の相対向する外側面に略台形状に形成されたスペーサ部材を一体的に備えていることとし、前記したループ部材はソフトシリコン、プラスチック等の柔らかでフレキシブルな素材で成形された帯状のものとしたこととし、前記したスペーサ部材はゴム等の緩衝性を有する素材で成形されていることとし、前記したループ部材は一部に切離箇所の各々の先端におけるコーナーを少なくとも切落させた構造としている。また特開２００４−８６２７の「足指間刺激用具」は、足指の第１指と第２指との間、第２指と第３指との間、第３指と第４指との間、および第４指と第５指との間との間に挟み込む４個の刺激柱状体を所定の相互間隔を保つようにベースプレートに取り付け、このベースプレートを足の甲側または足の裏側に当てて４個の刺激柱状体を対応する足指間に挟み込んで使用することを特徴としている。
【特許文献１】特開２００５−３４４８８号公報
【特許文献２】特開平１０−１４６３５７号公報
【特許文献３】特開２００４−３０５３０６号公報
【特許文献４】特開２００４−８６２７号公報
【考案の開示】
【考案が解決しようとする課題】
【０００７】
上記の特許文献１及び特許文献３の足指間の間隔保持具は、屋内において素足での装着には問題ないが、靴下及び靴を着用しての外出時は、各指間に異物を挟着した感触を払拭できないうえに各指が強力に締め付けられるのでかなりの痛みが走り、長時間の装着には耐えられないことになる。また特許文献２は、各指間に各短柱体を挟み込んで足指間を押し広げるために、通気面での効果はあるものの、装着時の違和感とそれに伴う痛みがあり、また靴下や靴の着用には不向きである。特許文献４は、装着時の違和感があるので、継続使用に難点がある。
【０００８】
本考案の課題は、水虫（白癬症）発症又は患部悪化の大きな要因となる、足指の密着による指周面及び指のつけ根部分からの発汗、湿気等を吸収し、靴下及び靴着用時においても違和感なく装着して外出が可能であり、もって指周面及び指のつけ根部分を乾燥状態に保持できる、足指の間隔保持具を提供することにある。
【課題を解決するための手段】
【０００９】
上記の課題を解決するための請求項１に記載の第１の考案は、足指の第２指、第３指又は第４指に挿入かつ抜き出し可能な内径とした内筒体と、前記内筒体と相似形にすると共に、該内筒体の外周面間とに空間部を形成し、前記第２指、第３指又は第４指の両側間を挿入かつ抜き出し可能な外径とした外筒体と、前記内筒体及び外筒体との空間部に充填される、柔軟性又は弾力性を有する吸収材と、からなることを特徴としている。
【００１０】
課題を解決するための請求項２に記載の第２の考案は、請求項１記載の考案にあって、前記内筒体及び外筒体が、弾性を有する硬質で薄手の紙材又は熱可塑性合成樹脂材からなることを特徴としている。
【００１１】
課題を解決するための請求項３に記載の第３の考案は、請求項１〜請求項２の何れかに記載の考案にあって、前記熱可塑性合成樹脂材が、塩化ビニール、ポリエチレン、アクリル樹脂又はスチロール樹脂であることを特徴としている。
【００１２】
課題を解決するための請求項４に記載の第４の考案は、請求項１〜請求項３の何れかに記載の考案にあって、前記内筒体及び外筒体の縦断面形状が、円形、楕円形又は長方形であることを特徴としている。
【００１３】
課題を解決するための請求項５に記載の第５の考案は、請求項１〜請求項４の何れかに記載の考案にあって、前記内筒体、外筒体及び吸収材の長手寸法が、約３０ｍｍ〜約４５ｍｍであることを特徴としている。
【００１４】
課題を解決するための請求項６に記載の第６の考案は、請求項１〜請求項５の何れかに記載の考案にあって、前記内筒体の内径が約１８ｍｍ〜約２５ｍｍで、外筒体の外径が約２８ｍｍ〜約４０ｍｍであることを特徴としている。
【００１５】
課題を解決するための請求項７に記載の第７の考案は、請求項１〜請求項６の何れかに記載の考案にあって、前記内筒体及び外筒体の両端周縁部は、アール加工されていることを特徴としている。
【００１６】
課題を解決するための請求項８に記載の第８の考案は、請求項１〜請求項７の何れかに記載の考案にあって、前記吸収材の主材が、パルプ繊維又は再生紙からなるティッシュペーパーと同一素材であることを特徴としている。
【００１７】
課題を解決するための請求項９に記載の第９の考案は、請求項１〜請求項８の何れかに記載の考案にあって、前記吸収材の先端周面部は、ほぐし加工されて羽毛状とされていることを特徴としている。
【００１８】
課題を解決するための請求項１０に記載の第１０の考案は、請求項１〜請求項９の何れかに記載の考案にあって、前記吸収材内に、乾燥剤又は防臭剤の粉末を添加したことを特徴としている。
【考案の効果】
【００１９】
本考案に係る、足指の間隔保持具は、上記の構成になるから以下の効果を奏する。第１〜第３及び第９の考案によれば、本考案を構成する部材は、内筒体、外筒体及び吸収材よりなり、内筒体は足指の第２指、第３指又は第４指に挿入かつ抜き出し可能な内径とし、外筒体は第２指、第３指又は第４指の両側間を挿入かつ抜き出し可能な外径としており、かつ吸収材は、柔軟性又は弾力性を有しているので足指への両者の着脱は円滑に行うことができると共に、外筒体及び内筒体が抜き出された後、吸収材は挿入した指とその両側の指に挟着されるように保持できる。したがって、靴下及び靴の着用もなんら違和感もない。また本考案のおける足指の間隔保持具は、片足における第２指又は第３指と第４指の２本の指に装着するだけで、第１〜第５指の指間とつけ根部分は全て吸収材に当接し、発汗及び湿気は該吸収材によって吸収されるので、各指間とつけ根部分の表皮面を乾燥状態にすることがでる。したがって、水虫（白癬症）発症の予防となり、また既に発症した患部を改善する効果を発揮する。さらに内筒体及び外筒体は、弾性を有する硬質で薄手の紙材又は熱可塑性合成樹脂材で製作され、部品点数も少なくまた構造は極めて簡単であり、熱可塑性合成樹脂材を使用すれば公知技術での一体成形が可能であり、材料費を含む製作コストが廉価となる。また、吸収材の先端周面部は、ほぐし加工されて羽毛状とされているので、例えば、各指間のつけ根部分が裂けていても、痛痒を感じることなく当接することができる。
【００２０】
第４の考案によれば、内筒体及び外筒体の縦断面形状が、円形、楕円形又は長方形としているので、使用者は自己の足指の外観形状に適合する形と好みで三者の中から選択が可能である。
【００２１】
第５〜第６の考案によれば、内筒体、外筒体及び吸収材の長手寸法が、約３０ｍｍ〜４５ｍｍで、内筒体の内径が約１８ｍｍ〜２５ｍｍで、外筒体の外径が約２８ｍｍ〜４０ｍｍとしており、中高大学生を含む成人男子及び中高大学生を含む成人女子における足指の第２指、第３指又は第４指に簡便な挿入と抜き出しが可能な寸法であり、吸収材は挿入した指に好適に保持される。
【００２２】
第７の考案によれば、内筒体及び外筒体の両端周縁部は、アール加工されているので足指への挿入又は抜き出し時、発症した水虫（白癬症）患部に当接しても痛みを感じさせない。
【００２３】
第８の考案によれば、吸収材の主材は、パルプ繊維又は再生紙からなるティッシュペーパーと同一素材であるのでその強い水分の吸収力で、第１〜第５指の指間とつけ根部分等の発汗及び湿気は吸収されるので、各指間とつけ根部分は常に乾燥状態とすることができる。
【００２４】
第１０の考案によれば、吸収材内に、乾燥剤又は防臭剤の粉末を添加しているので、乾燥剤の作用でさらに各指間と付け根部分は乾燥状態とされ、また防臭剤の作用で靴又は靴下を脱いだときの異臭、悪臭の発生を防止することができる。
【考案を実施するための最良の形態】
【００２５】
以下、本考案に係る、足指の間隔保持具（以下、保持具Ｓという）に関する最良の実施形態について、図面を参照しながら説明する。図１は、保持具Ｓの構成部材を示し、各部材を分離した状態の斜視図、図２は、保持具Ｓの各部材を組立てた状態の縦断正面図、図３は、保持具Ｓを足指の第２指及び第４指に挿入した状態の平面図、図４は、外筒体及び内筒体を抜き出した状態の平面図、図５は、内筒体及び外筒体を楕円形状とした状態の縦断正面図、図６は、内筒体及び外筒体を長方形状とした状態の縦断正面図、図７は、内筒体及び外筒体の一部省略側断面図、図８は吸収材の他の実施態様を示す斜視図である。
【００２６】
保持具Ｓは、内筒体１、外筒体２及び吸収材３を主な構成部材とし、図１〜図８に示す内筒体１及び外筒体２は、塩化ビニールを素材とし、公知の成形方法で製作された長尺の円筒状パイプを、裁断機等で約３０ｍｍ〜約４５ｍｍの長さに切断してなるもので、その素材としては、塩化ビニールの他ポリエチレン、アクリル樹脂又はスチロール樹脂製とすることもでき、また弾性を有する硬質で薄手の紙材である、例えば再生紙、バロンケント紙又はコートボール紙等を長尺の円筒状に形成し、カッター等により所定の長さに切断して内筒体１及び外筒体２は製作される。内筒体１及び外筒体２の厚さ寸法は、約０．２ｍｍ〜約０．５ｍｍとされる。
【００２７】
図１及び図２に示すように、内筒体１と外筒体２は相似形としており、内筒体１の内径ｄは、約１８ｍｍ〜約２５ｍｍとしている。この内径寸法は、中高大学生を含む成人男子及び中高大学生を含む成人女子における足５の第２指５ｂ、第３指５ｃ又は第４指５ｄに挿入と抜き出しが可能な寸法であり、また外筒体の外径Ｄを約２８ｍｍ〜約４０ｍｍとしており、これは中高大学生を含む成人男子及び中高大学生を含む成人女子の第２指５ｂ、第３指５ｃ又は第４指５ｄの両側間を挿入かつ抜き出し可能な寸法としている。
【００２８】
内筒体１の外周面１ａと外筒体２の内周面２ａ間には、約１９ｍｍ〜約３９ｍｍの空間部４が形成され、該空間部４には、吸収材３が充填される。吸収材３は、パルプ繊維からなる２層タイプ又は３層タイプのティッシュペーパーと同一素材を内筒体１の外周面１ａに巻回するか、又は予め、内筒体１と外筒体２の空間部４に嵌合する厚さ約１９ｍｍ〜約３９ｍｍの筒状に形成されたものを、内筒体１に嵌合される。該吸収材３の長手寸法は、内筒体１と外筒体２の長手寸法Ｌ（図３、参照）である約３０ｍｍ〜約４５ｍｍと略同寸又はやや大としている。また吸収材３には靴、靴下内で発生する足指からの汗、湿気をより速く吸収するために、乾燥剤例えば、シリカゲル等の微細粉末３ａを混入することが好ましく、また異臭、悪臭予防に活性炭等の防臭剤３ｂを含有することも好適である。さらに図１に示すように、吸収材３の先端周面部３ｃは、ほぐし加工されて羽毛状とされている。
【００２９】
図３は、保持具Ｓを左足５の第２指５ｂ及び第４指５ｄに挿入した状態を示し、図４は、保持具Ｓの内筒体１及び外筒体２を第２指５ｂ及び第４指５ｄからそれぞれ抜き出した状態を示し、図４で明らかなように、第２指５ｂに挿入された吸収材３は、第２指５ｂの左側に隣接する第１指５ａと右側に隣接する第３指ｃとの両側部で挟着、保持され、同様に第４指５ｄに挿入された吸収材３は、第４指５ｄの左側に隣接する第３指５ｃと右側に隣接する第５指５ｅとの両側部で挟着、保持される。これにより、第１指５ａと第２指５ｂ、第２指５ｂと第３指５ｃ、第３指５ｃと第４指５ｄ、第４指５ｄと第５指５ｅは、それぞれ２本の吸収材３でセパレートされる。保持具Ｓは第３指５ｃのみに装着してもよいし、第３指５ｃと第４指５ｄの装着でも問題はない。但し、第１指５ａと第２指５ｂの両指間が密着するので、好ましい使用態様ではない。
【００３０】
屋内においては、吸収材３を図４の保持した状態で靴下、スリッパ等を着用してもよいし、外出するときは、靴下、靴を着用しても吸収材３は柔軟性又は弾力性を有するので、なんらの違和感がなく、また長時間の靴着用でも足指の発汗、靴内部の湿気等は吸収材３により迅速に吸収される。  
【００３１】
図５は、保持具Ｓの第２の実施態様で、内筒体１、外筒体２及び吸収材３の縦断面形状を楕円形としたもので、保持具Ｓを使用する者の足指形状が楕円形に近似するときには、この楕円形状が好適で、また図６に示すのは保持具Ｓの第３の実施態様で、内筒体１、外筒体２及び吸収材３の縦断面形状を長方形としたもので、保持具Ｓを使用する者の足指形状がやや扁平な長方形に近似するときには、該長方形状の保持具Ｓを選択して使用される。
【００３２】
図７は、内筒体１及び外筒体２の両端部外周縁を拡大して示すもので、図示するように内筒体１の両端部外周縁１ｂ及び外筒体２の両端部外周縁２ｂは、アール加工されている。これは足５の第１指５ａ〜第５指５ｅの表皮面又はつけ根に水虫（白癬症）が発症しているとき、保持具Ｓの足指への挿入又は抜き出す際に、発症した患部に当接しても痛みを感じさせないためである。
【００３３】
図８に示す吸収材３０は、患部が軽症のとき、例えば足指間に裂け目がないときに使用されるもので、その先端周面部３０ｃは、何らの加工もしないで良好に使用される。
【００３４】
本考案者及び水虫（白癬症）罹患者の数名に保持具Ｓを装着し、靴下及び靴を着用した結果、約１週間〜１０日経過後、患部はやや乾燥しはじめ、約３週間〜４週間で患部は殆ど湿気が消失して乾燥状態となり、痛痒を感じなくなった。
【図面の簡単な説明】
【００３５】
【図１】本考案に係る、保持具Ｓの構成部材を示し、各部材を分離した状態の斜視図である。
【図２】同、保持具Ｓの各部材を組立てた状態の縦断正面図である。
【図３】同、保持具Ｓを足指の第２指及び第４指に挿入した状態の平面図である。
【図４】同、外筒体及び内筒体を抜き出した状態の平面図である。
【図５】内筒体及び外筒体を楕円形状とした状態の縦断正面図である。
【図６】内筒体及び外筒体を長方形状とした状態の縦断正面図である。
【図７】内筒体及び外筒体の一部省略側断面図である。
【図８】吸収材の他の実施態様を示す斜視図である。。
【符号の説明】
【００３６】
Ｓ                      保持具
１                      内筒体
２                      外筒体
３、３０                吸収材
４                      空間部
５                      足
１ａ                    外周面
１ｂ                    アール加工
２ａ                    内周面
２ｂ                    アール加工
３ａ                    乾燥剤
３ｂ                    防臭剤
３ｃ                    先端周面部
５ａ                    第１指
５ｂ                    第２指
５ｃ                    第３指
５ｄ                    第４指
５ｅ                    第５指
【図１】
0003122245.tif 000003
【図２】
0003122245.tif 000004
【図３】
0003122245.tif 000005
【図４】
0003122245.tif 000006
【図５】
0003122245.tif 000007
【図６】
0003122245.tif 000008
【図７】
0003122245.tif 000009
【図８】
0003122245.tif 000010